(57)【要約】【課題】犬が排出する糞を効果的に処理出来、犬に対して使用に抵抗感がなく持ち運びに便利で  後処理が便利な犬の糞取器具を提供する。【解決手段】犬の糞を地上に落下する前に収納する袋（１２）を有し又、袋（１２）が薄いポリプロビレン製であり、この袋（１２）がステンレス製のワイヤー（２）で保持開閉出来る構造で、柄は３段の伸縮可能でその長さが自在に調節出来持ち運び時にはコンパクトに収納で出来、袋（１２）の内部にトイレットペーパー等を敷く事により、糞が容易にトイレ等に処理出来る。アルミ及び樹脂製の軽量での携帯用糞取器具【選択図】図１
2012039987.tif 000002
【特許請求の範囲】
【請求項１】
犬等の糞を処理する為に考案された、器具であり、伸縮可能な柄を有し、細いステンレス製のワイヤー（２）で糞を収納する袋（１２）を保持、開閉出来、又、収納時にワイヤー（２）をワイヤー止め（１）に架ける事により腕、ぶら提げる事が出来る携帯用犬の糞取器具である。
【請求項２】
糞を収納する袋（１２）は薄いポリプロビレン製で袋（１２）の底下に握り部（１３）を設け糞の排出時にワイヤー（２）を押して袋（１２）を広げ握り部（１３）を持ち上げる事により袋（１２）内に  手を入れずに糞をトイレ等に処理出来る、請求項１に記載する携帯用犬の糞取器具である
【請求項３】
柄部は伸縮可能な３段の中空パイプにより、形成され  第一柄（８）第二柄部（６）第三柄部（４）が伸縮可能範囲で、任意の位置で、固定出来る請求項１乃至請求項２に記載の携帯用犬の糞取器具である。
【請求項４】
柄部の固定方法は  偏芯ボルト（１４）及び偏芯ナット（１５）により柄部を回す事により固定される、請求項１乃至  請求項３に記載の携帯用犬の糞取器具である
【請求項５】
ワイヤー保持（１１）は袋保持（１０）により保持されていてワイヤー保持（１１）の片方の穴から袋（１２）をワイヤー（２）で通しもう片方の穴から袋保持（１０）を通りワイヤー止メナット（１６）で固定するワイヤー保持（１１）は上下に作動出来る構造で袋本体（１２）が犬に接触しても優しく触れ下方向に作動できる、
請求項１乃至請求項４に記載の携帯用犬の糞取器具である。
【請求項６】
固定化された袋保持枠を保有しない構造で  ワイヤーで（２）で袋（１２）を枠保持出来、収納時、袋（１２）は小さく縮小される請求項１乃至請求項５に記載の携帯用犬の糞取器具である。
【発明の詳細な説明】
【技術分野】
【０００１】本発明は犬の糞を軽快に処理する為に開発された携帯用犬の糞取器具である
【背景技術】
【０００２】従来の犬の糞を処理する時の器具の、多くはビニール袋等に、直接糞を受ける方法が殆どであり、後始末の方法が、一般ごみとして処理されている様である【０００３】又殆どの器具が、固定された輪にビニール袋等を取り付け犬等に近付けると、犬等の肌に圧迫感を与えている。特に輪が固定されている為に  持ち運びに不便な為これらの器具を所持する人は殆んど見かけない。
【発明が解決しょうとする課題】
【０００４】上記問題を解決する為にビニール袋等に直接糞を入れない様にする事、又、犬等のお尻に接触しても、違和感がない様  犬等に優しい器具であり、かつ後処理が環境に順応しなければなりません。尚、持ち運ぶ場合小袋に挿入出来る器具にする事である。
【課題を解決するための手段】
【０００５】本発明は携帯に便利な様に、３段の伸縮可能な柄部と薄いポリプロビレン製の袋（１２）をワイヤー（２）で枠保持し、このワイヤー（２）を押し引きする事で袋（１２）を開閉する操作をする事が出来る。袋（１２）を開くことで内に敷かれたトイレットペーパーに落下した糞を包み込み又袋（１２）を閉じる事で悪臭も閉じ込め、直接手を汚さずにトイレに流せる。
柄部を縮めワイヤー（２）を引く事で袋（１２）が小さくなり目立たない器具になるワイヤー（２）とポリプロビレン製の袋（１２）なので直接犬等に接触しても抵抗感が少なく  快適な器具
【０００６】請求項２係るものは、ポリプロビレン製の袋（１２）の上部が、ワイヤー（２）が通るように袋（１２）に輪を付け、底部下には握り部（１３）を設けている。
ワイヤー（２）を押し引きする事で袋（１２）が開閉する、袋（１２）を開けて握り部（１３）を持ち上げる事で手を汚さずに  中の汚物を捨てる事が出来る
【０００７】請求項３に係わるものは、コンパクトにする為に柄部を３段の大中小の中空パイプを使用して伸縮可能にした。
【０００８】請求項４に係わるものは、３段の中空パイプを任意の位置で固定出来るように偏芯ボルト（１４）偏芯ナット（１５）を使って各段の柄部を回す事でパイプ内の偏芯ナット（１５）が上部のパイプに摩擦して固定される。
【０００９】請求項５に係わるものは、袋（１２）及びワイヤー（２）を支持するワイヤー保持（１１）と袋保持（１０）で構成されワイヤー保持（１１）が上下に動く事で袋（１２）及びワイヤー（２）に弾力を持たせる。
【００１０】請求項６に係わるものは、殆どの犬の糞取器具には  固定された輪が使用されている。本発明には袋の固定された支持枠をなくしワイヤー（２）で支持枠の代用と袋（１２）の開閉を兼用して尚未使用の携帯時には  袋（１２）の支持枠を無きに等しい効果を特色としている
【発明の効果】
【００１１】本発明は上記のように犬にも飼い主そして社会的に環境にも優しい犬の糞取器具で本器具の使用を多くの愛犬家が利用することで環境衛生上  有益な器具である
【発明を実施するための形態】
【００１２】本発明の実施の形態を、図面を参照にして説明する。図６は携帯時の状態を示す図２に示すようにワイヤー掛け（１）からワイヤー（２）を外し、図３の如くワイヤー（２）を握り部（３）の先端から柄の中に押し込み、袋（１２）を開く
【００１３】開いた袋（１２）の袋内壁にトイレットペーパーを巻き付けて置き、ワイヤー（２）を引き、ワイヤー（２）をワイヤー掛け（１）に付けて図６にして携帯する。
【００１４】犬が糞をしようとする体勢になった時、ワイヤー（２）をワイヤー掛け（１）から外し握り部（３）の先端から柄の中に押し込み、図４のように適当な長さに柄を伸ばす、この時  第３柄部（４）、第２柄部（６）第１柄部（８）を左右に回して柄のロックを外して柄を伸ばす再度、各柄部を左右に回して柄をロックする
【００１５】犬の排便時にその肛門に本発明品をあてがい、糞が地面に落下する前に袋（１２）に拾糞する。袋（１２）内に収納された糞を、トイレットペーパーに包み込む為に再度各柄を左右に回してロックを外して柄を縮短し柄をロックしワイヤー（２）を引き図６の状態にして、糞を持ち帰る。この時袋（１２）の入り口は閉ざされているので糞特有の匂いが封印される。
【００１６】収納した糞の廃棄方法は、ワイヤー（２）を握り部（３）の先端から柄の中に押し込み袋（１２）を広げて開き、袋底下握り（１３）を上に持ち上げてトイレ等にトイレットペーパーに包まれたまま廃棄する。
【００１７】袋（１２）は当発明品の専用袋であるが、食パンを包んでいるポリプロビレンの袋を図７のように自作してもよい。
【００１８】柄のロック機構を図８に示す、この機構は第１柄部（８）と第２柄部（６）の間又第２柄部（６）と第３柄部（４）の間に装着されている、この働きを第２柄部（６）と第３柄部（４）の間で説明する。
偏芯ボルト（１４）は第２柄（６）の内径に固定されている、偏芯ナット（１５）は、偏芯ボルト（１４）に挿入されている
【００１９】ロックが解除されている状態を図９に示す、偏芯ナット（１５）が第３柄部（４）の内径に接触してないので柄部は自由に伸縮出来る。
第３柄部（４）が回るとその摩擦で偏芯ナット（１５）が回り、第３柄部（４）の内径に偏芯ナット（１５）が当たり図１０の様に柄がロックされる、
その反対方向に回すと偏芯ナット（１５）が緩みロックが解除される仕組みになっている。尚、偏芯ナット（１５）はネジのリード以上には移動出来ないので偏芯ボルト（１４）から離脱しない
【発明の効果】
【００２０】本発明は従来にない新しい方法で受枠が固形でなく犬にやさしいく接し、取り扱い持ち運びに便利で糞処理が気軽に行える、環境衛生上、又地域一体の美化など綺麗な町作りに役立つ器具である
【図面の簡単な説明】
【００１９】
【図１】本発明の犬の糞取り器具の全体図
【図２】柄からワイヤーを外した図
【図３】ワイヤー押し込んで袋本体が広がった図
【図４】柄が伸びた図
【図５】糞を収納した図
【図６】本発明の犬の糞取り器具の収納図
【図７】袋本体交換図
【図８】柄のロック機構図
【図９】柄の解除時の図
【図１０】柄のロック状態の図
【符号の説明】
【００２０】１  ワイヤー掛け
２  ワイヤー
３  握り部
４  第３柄部
５  第３柄部抜け止メ
６  第２柄部
７  第２柄部抜け止メ
８  第１柄部
９  ワイヤー押し引き握部
１０  袋保持
１１  ワイヤー保持
１２  袋
１３  袋本体底下握
１４  偏芯ボルト
１５  偏芯ナット
１６  ワイヤー
【図１】
2012039987.tif 000003
【図２】
2012039987.tif 000004
【図３】
2012039987.tif 000005
【図４】
2012039987.tif 000006
【図５】
2012039987.tif 000007
【図６】
2012039987.tif 000008
【図７】
2012039987.tif 000009
【図８】
2012039987.tif 000010
【図９】
2012039987.tif 000011
【図１０】
2012039987.tif 000012